(57)【特許請求の範囲】
【請求項１】
複数の撮影装置により撮影された映像信号が順次切り替わりながら進行する第１の映像信号を受信可能な受信手段と、
前記受信手段により受信されている前記第１の映像信号を表示部に出力する出力手段と、
前記表示部に表示されている前記第１の映像信号のフレームを撮影した第１の撮影装置を特定する特定手段と、
前記第１の映像信号とは異なる映像信号であって、前記第１の撮影装置により撮影された映像信号のみにより進行する第２の映像信号を、前記受信手段がさらに受信可能か否かを判断する判断手段と、
前記判断手段により前記第２の映像信号が受信可能であると判断された場合に、前記第２の映像信号を受信可能である旨の通知を行い、前記判断手段により前記第２の映像信号が受信可能でないと判断された場合に前記通知を行わない通知手段と、を有することを特徴とする映像受信装置。
【請求項２】
前記出力手段は、前記表示部に出力している前記第１の映像信号が前記第１の撮影装置により撮影された映像信号から前記第２の撮影装置により撮影された映像信号に切り替わったことに応じて、前記第１の映像信号と前記第２の映像信号とを合成して前記表示部に出力することを特徴とする請求項１に記載の映像受信装置。
【請求項３】
前記通知手段による前記通知がなされている際に、所定の入力に応じて前記第１の撮影装置の情報を登録する登録手段、をさらに有し、
前記出力手段は、前記特定手段により特定された前記第１の撮影装置が、前記登録手段により登録された情報により示される撮影装置と異なる場合に、前記第１の映像信号と前記第２の映像信号とを合成して前記表示部に出力することを特徴とする請求項１に記載の映像受信装置。
【請求項４】
前記第１の映像信号は、地上波を介して提供される地上波の放送信号に対応する映像信号であり、
前記第２の映像信号は、ネットワークを介して提供されるＩＰ放送の放送信号に対応する映像信号であることを特徴とする請求項１乃至３のいずれか１項に記載の映像受信装置。
【請求項５】
前記通知は、前記表示部において前記第１の映像信号に重畳される形態で行われることを特徴とする請求項１乃至４のいずれか１項に記載の映像受信装置。
【請求項６】
複数の撮影装置により撮影された映像信号が順次切り替わりながら進行する第１の映像信号を受信可能な受信手段を有する映像受信装置の制御方法であって、
前記映像受信装置の出力手段が、前記受信手段により受信されている前記第１の映像信号を表示部に出力する出力工程と、
前記映像受信装置の特定手段が、前記表示部に表示されている前記第１の映像信号のフレームを撮影した第１の撮影装置を特定する特定工程と、
前記映像受信装置の判断手段が、前記第１の映像信号とは異なる映像信号であって、前記第１の撮影装置で撮影された映像信号のみにより進行する第２の映像信号を、前記受信手段がさらに受信可能か否かを判断する判断工程と、
前記映像受信装置の通知手段が、前記判断工程により前記第２の映像信号が受信可能であると判断された場合に、前記第２の映像信号を受信可能である旨の通知を行い、前記判断手段により前記第２の映像信号が受信可能でないと判断された場合に前記通知を行わない通知工程と、を有することを特徴とする映像受信装置の制御方法。
【請求項７】
前記出力手段は前記出力工程において、前記表示部に出力している前記第１の映像信号が前記第１の撮影装置により撮影された映像信号から前記第２の撮影装置により撮影された映像信号に切り替わったことに応じて、前記第１の映像信号と前記第２の映像信号とを合成して前記表示部に出力することを特徴とする請求項６に記載の映像受信装置の制御方法。
【請求項８】
前記映像受信装置の登録手段が、前記通知工程における前記通知がなされている際に、所定の入力に応じて前記第１の撮影装置の情報を登録する登録工程、をさらに有し、
前記出力手段は前記出力工程において、前記特定工程において特定された前記第１の撮影装置が、前記登録工程において登録された情報により示される撮影装置と異なる場合に、前記第１の映像信号と前記第２の映像信号とを合成して出力することを特徴とする請求項６に記載の映像受信装置の制御方法。
【請求項９】
前記第１の映像信号は、地上波を介して提供される地上波の放送信号に対応する映像信号であり、
前記第２の映像信号は、ネットワークを介して提供されるＩＰ放送の放送信号に対応する映像信号であることを特徴とする請求項６乃至８のいずれか１項に記載の映像受信装置の制御方法。
【請求項１０】
前記通知は、前記表示部において前記第１の映像信号に重畳される形態で行われることを特徴とする請求項６乃至９のいずれか１項に記載の映像受信装置の制御方法。
【発明の詳細な説明】
【技術分野】
【０００１】
本発明は、マルチアングル放送を受信可能な映像受信装置及びその制御方法における、カメラアングルの選択方法に関する。
【背景技術】
【０００２】
デジタルテレビ放送では、番組を構成する映像信号や音声信号、及び番組データ等を、ＭＰＥＧ２＿ＴＳ（Ｍｏｖｉｎｇ  Ｐｉｃｔｕｒｅ  Ｅｘｐｅｒｔｓ  Ｇｒｏｕｐ  ２  Ｔｒａｎｓｐｏｒｔ  Ｓｔｒｅａｍ）方式により多重化して配信している。番組データには、イベント情報テーブル（Ｅｖｅｎｔ  Ｉｎｆｏｒｍａｔｉｏｎ  Ｔａｂｌｅ：ＥＩＴ）と呼ばれる、番組タイトル情報や開始時間、継続時間等のデータが含まれる。デジタルテレビ放送に対応したテレビ受像機は、ＥＩＴ等の番組属性情報を用いて番組の詳細情報を、ユーザに提示することが可能である。
【０００３】
近年、デジタルテレビ放送において、マルチビューテレビジョン（Ｍｕｌｔｉ  Ｖｉｅｗ  Ｔｅｌｅｖｉｓｉｏｎ：ＭＶＴＶ）放送も開始されている。ＭＶＴＶでは、１つの番組内で複数の映像及び音声が配信され、ユーザは複数の映像の中から所望の映像に切り替えて視聴可能である。例えば、ゴルフ中継において、メイン／サブ１／サブ２の３種類の映像と音声で構成されるコンポーネントグループが配信され、視聴開始時はメインの映像と音声が呈示されるが、ユーザはその他のコンポーネントグループに切り替えることが可能である。テレビ受像機は、放送番組がＭＶＴＶであることを、受信したＥＩＴに記載されたｃｏｍｐｏｎｅｎｔ＿ｇｒｏｕｐ＿ｔｙｐｅ記述子によって識別し、ユーザに対して表示が切り替え可能であることを通知する。
【０００４】
一方、ブロードバンド技術を活用したＩＰ放送により、マルチアングル放送も開始されている。マルチアングル放送は、スポーツ中継やコンサート中継等の番組において、通常の放送とは別に、複数のカメラを用いて異なるカメラアングルで撮影した映像を、同時に配信している。通常の放送では、異なるカメラアングルで撮影した映像を放送局で切り替えて配信しているが、マルチアングル放送では、ユーザはネットワーク上のサーバから配信される映像を受信して視聴可能である。ユーザは、ＧＵＩ画面等で、表示されたカメラ配置図の中から視聴するカメラを選択し、マルチアングル放送の映像を視聴することが可能である。特許文献１には、マルチアングル放送において視聴するカメラを手動で選択して切り替えるのではなく、自動切替テーブルを生成することにより、自動的に視聴するカメラを切り替える技術が開示されている。
【先行技術文献】
【特許文献】
【０００５】
【特許文献１】特開２００２−３１４９６０号公報
【発明の概要】
【発明が解決しようとする課題】
【０００６】
しかしながら、特許文献１のマルチアングル放送における、視聴するカメラの切り替え方法では、自動切替テーブルに則って視聴するカメラが自動で切り替えられるため、必ずしもユーザは所望のカメラアングルで視聴を行うことができなかった。また、従来のマルチアングル放送において視聴するカメラを選択するためには、ユーザはＧＵＩ画面で視聴するカメラを選択するまで所望のカメラアングルであるか確認できず、所望のカメラアングルの映像を視聴できるまでの操作が面倒であった。
【０００７】
本発明は、上述の問題点に鑑みてなされたものであり、通常放送の映像で視聴しているカメラアングルに対応する、マルチアングル放送の映像を表示可能であることを通知することにより、所望のカメラアングルの選択操作を容易にすることを目的とする。
【課題を解決するための手段】
【０００８】
前述の目的を達成するために、本発明の映像受信装置は、以下の構成を備える。
複数の撮影装置により撮影された映像信号が順次切り替わりながら進行する第１の映像信号を受信可能な受信手段と、受信手段により受信されている第１の映像信号を表示部に出力する出力手段と、表示部に表示されている第１の映像信号のフレームを撮影した第１の撮影装置を特定する特定手段と、第１の映像信号とは異なる映像信号であって、第１の撮影装置により撮影された映像信号のみにより進行する第２の映像信号を、受信手段がさらに受信可能か否かを判断する判断手段と、判断手段により第２の映像信号が受信可能であると判断された場合に、第２の映像信号を受信可能である旨の通知を行い、判断手段により第２の映像信号が受信可能でないと判断された場合に通知を行わない通知手段と、を有することを特徴とする。
【発明の効果】
【０００９】
このような構成により本発明によれば、通常放送の映像で視聴しているカメラアングルに対応する、マルチアングル放送の映像を表示可能であることを通知することにより、所望のカメラアングルの選択操作を容易にすることを可能とする。
【図面の簡単な説明】
【００１０】
【図１】実施形態に係るセットトップボックスの機能構成を示したブロック図。
【図２】実施形態１及び２の番組属性情報更新処理のフローチャート。
【図３】実施形態のカメラ情報比較処理のフローチャート。
【図４】実施形態１の映像切り替え処理のフローチャート。
【図５】変形例の映像切り替え処理のフローチャート。
【図６】実施形態２のカメラ情報リスト更新処理のフローチャート。
【図７】実施形態２の映像切り替え処理のフローチャート。
【図８】実施形態における画面表示例を説明するための図。
【図９】実施形態２におけるカメラ情報リストを説明するための図。
【発明を実施するための形態】
【００１１】
（実施形態１）
以下、本発明の好適な一実施形態について、図面を参照して詳細に説明する。なお、以下に説明する一実施形態は、映像受信装置の一例としての、地上波の放送信号で配信される通常放送の映像と、ＩＰ放送で配信されるマルチアングル放送の映像を受信可能なセットトップボックスに、本発明を適用した例を説明する。しかし、本発明は、マルチアングル放送を受信することが可能な任意の機器に適用可能である。
【００１２】
なお、本発明ではマルチアングル放送を、通常放送で送信される映像のフレームを撮影した複数の撮影装置（テレビカメラ）のそれぞれで撮影した映像が、マルチアングル放送として送信されるものとして説明する。即ち、マルチアングル放送で送信される映像は、複数の撮影装置のそれぞれで撮影したフレームの連続で構成されており、通常放送で送信される映像は、複数の撮影装置で撮影したフレームが混在した構成となっている。本実施形態では説明の簡略のため、マルチアングル放送として複数のテレビカメラそれぞれで撮影した複数の映像が、同時に送信されるものとして説明する。しかしながら、マルチアングル放送の実施はこれに限らず、同時に送信される映像の数は１つ以上の任意の数であって構わない。また、本実施形態においてマルチアングル放送として送信される映像を撮影したテレビカメラは、１つの番組において番組中は終始変わらないものとして説明する。しかし、マルチアングル放送の実施においては、シーンによって、マルチアングル放送で送信されるテレビカメラの映像を切り替えても構わない。
【００１３】
図１は、本発明の実施形態に係るセットトップボックスの機能構成を示すブロック図である。
チューナ１０１は、放送信号２００を受信し、例えば記憶メモリ１０８に記憶されている受信チャンネル設定の情報に従い、放送信号２００から所望のチャンネルの信号を分離し、所望のチャンネルの通常放送の映像信号と番組属性情報を取得する。そして、チューナ１０１は、得られた所望のチャンネルの通常放送の映像信号を、メインデコーダ１０２に出力する。通常放送の番組属性情報は、通常放送の映像信号に含まれる情報であり、例えば通常放送の番組名や番組解説等の番組に関する情報に加え、通常放送の映像信号を撮影したカメラを特定する情報（放送シーンカメラ情報）を有する。放送シーンカメラ情報は、映像信号で送信される映像を構成するフレームのそれぞれの、例えばテレビカメラ毎に割り振られたＩＤ番号等のフレームを撮影したカメラを特定する情報であり、フレーム単位で変化するものである。また、通常放送の番組情報には、マルチアングル放送を受信可能であるか否か（マルチアングル放送の有無）の情報、即ち通常放送がマルチアングル放送に対応しているかの情報が含まれる。通常放送がマルチアングル放送に対応している場合、通常放送の番組属性情報にはさらに、ＩＰ放送における所望のチャンネルのマルチアングル放送の映像信号を配信するサーバを特定する情報（ＵＲＩ）が含まれている。
【００１４】
ネットワーク受信部１０５は、セットトップボックス１００が備える、セットトップボックス１００をネットワーク３００に接続するためのインタフェースである。ネットワーク受信部１０５は、通常放送がマルチアングル放送に対応している場合、マルチアングル放送の映像信号を配信するサーバの情報に従い、映像信号を配信するサーバ４００にネットワーク３００を介して接続する。そして、ネットワーク受信部１０５は、映像信号を配信するサーバ４００から所望のチャンネルのマルチアングル放送の映像信号と番組属性情報を受信し、メインデコーダ１０２に出力する。マルチアングル放送の番組属性情報は、マルチアングル放送の映像信号に含まれる情報であり、例えばマルチアングル放送に対応している通常放送の番組に関する情報を有する。また、マルチアングル放送の番組属性情報は、マルチアングル放送で送信されている映像を撮影したカメラを特定する情報（マルチアングル放送カメラ情報）を有する。
【００１５】
メインデコーダ１０２は、入力された映像信号を解析し、符号化された映像信号に対してデコード処理を適用し、映像データ、音声データ、及び番組属性情報を分離する。また、メインデコーダ１０２は符号化された映像データ及び音声データに対してデコード処理を適用し、得られた映像データと音声データを、映像出力部１０４及び音声出力部１０３にそれぞれ出力する。さらにメインデコーダ１０２は、映像信号から得られた番組属性情報を、記憶メモリ１０８に出力して、現在受信している通常放送の、もしくはマルチアングル放送の、番組属性情報として記憶させる。
【００１６】
音声出力部１０３は、例えば信号増幅回路であり、入力された音声データに対しアンプ調整処理を適用して、セットトップボックス１００に接続されたスピーカ７００に出力する。映像出力部１０４は、入力された映像データを、セットトップボックス１００に接続された表示モニタ６００に出力する。
【００１７】
赤外線受光部１０６は、セットトップボックス１００に入力される赤外線信号を受信する回路であり、例えばリモートコントローラ５００をユーザが操作すると、ユーザの操作に応じてリモートコントローラ５００が発信する赤外線信号を受信する。赤外線受光部１０６は、例えば受信した赤外線信号を解析し、リモートコントローラ５００で行われた操作を識別した情報をＣＰＵ１０７に伝送する。リモートコントローラ５００で行われた操作を識別した情報は、例えば、電源ＯＦＦ要求や、受信チャンネル変更要求等の情報が含まれる。なお、本実施形態ではセットトップボックス１００へのユーザからの操作を入力する入力インタフェースとしてリモートコントローラ５００を例に挙げて説明するが、本発明の実施はこれに限らない。例えばセットトップボックス１００が備える各種ボタンへの操作を入力とする場合は、赤外線受光部１０６とは別に、ボタン入力を検出する回路を備え、ＣＰＵ１０７に入力された内容を伝送すればよい。
【００１８】
ＣＰＵ１０７は、例えば記憶メモリ１０８に記憶されたセットトップボックス１００の各ブロック（回路）の動作プログラムを読み込み、不図示のＲＡＭに展開して実行することにより、各ブロックの動作を制御する。また、ＣＰＵ１０７は赤外線受光部１０６から、リモートコントローラ５００で行われた操作を識別した情報を受信すると、受信した情報に従って、記憶メモリ１０８に記憶されている情報を更新する。例えば、リモートコントローラ５００で、ユーザが受信チャンネルを変更する操作を行った場合、ＣＰＵ１０７は赤外線受光部１０６から受信チャンネル変更要求と変更するチャンネルの情報とを受信する。そして、ＣＰＵ１０７は、記憶メモリ１０８に記憶されている受信チャンネル設定の情報を、赤外線受光部１０６から受信した、変更するチャンネルの情報に更新する。記憶メモリ１０８は、書き換え可能な不揮発性メモリであり、セットトップボックス１００の各ブロックの動作プログラムに加え、セットトップボックス１００の各ブロックの動作に必要なパラメータ等の情報を記憶する。セットトップボックス１００の各ブロックの動作に必要なパラメータの情報には、例えば受信チャンネル設定の情報や、表示モニタ６００に出力する映像データの表示形態の設定情報等が含まれる。
【００１９】
カメラ情報解析部１０９は、メインデコーダ１０２が分離し、記憶メモリ１０８に記憶されている現在受信している通常放送の番組属性情報から、映像のフレームを撮影したテレビカメラを特定する情報である放送シーンカメラ情報を取得する。また、マルチアングル放送を受信可能である場合は、カメラ情報解析部１０９は記憶メモリ１０８に記憶されている現在受信しているマルチアングル放送の番組属性情報から、マルチアングル放送のカメラ情報を取得する。即ち、カメラ情報解析部１０９はマルチアングル放送で受信可能である、複数の映像のそれぞれを撮影したテレビカメラを特定する情報である、マルチアングル放送カメラ情報を取得する。また、カメラ情報解析部１０９は放送シーンカメラ情報とマルチアングル放送カメラ情報とを比較し、同一のテレビカメラを特定する情報があるか否かを判断する。即ち、通常放送で受信しているフレームを撮影したテレビカメラの映像信号が、マルチアングル放送で配信している映像信号の中に含まれているか否かを判断する。
【００２０】
画像合成部１１０は、表示モニタ６００に、複数の映像データをマルチ画面表示する場合や、映像データにＧＵＩを付与して表示する場合に、表示する形態に併せて合成処理を行う回路である。表示モニタ６００でマルチ画面表示を行う場合は、例えばネットワーク受信部１０５で受信し、メインデコーダ１０２でデコード処理を行った複数の映像データを、画像合成部１１０で、記憶メモリ１０８に記憶されている表示形態の設定情報に従って合成する。また、映像データにＧＵＩを付与して表示する場合は、メインデコーダ１０２から出力された映像データと、記憶メモリ１０８に記憶されているＧＵＩ表示の画像とを、画像合成部１１０で合成する。画像合成部１１０は、合成して得られた合成映像データを映像出力部１０４に出力し、表示モニタ６００に伝送する。
【００２１】
（番組属性情報更新処理）
このような構成をもつ本実施形態のセットトップボックスの、番組属性情報更新処理について、図２のフローチャートをさらに用いて説明する。
Ｓ２０１で、ＣＰＵ１０７は記憶メモリ１０８に記憶されている、受信チャンネル設定の情報に従い、チューナ１０１に受信した放送信号２００から通常放送の受信するチャンネルの映像信号を分離させ、メインデコーダ１０２に出力させる。ＣＰＵ１０７は、メインデコーダ１０２にチューナ１０１から入力された通常放送の映像信号に対しデコード処理を適用させ、映像データ、音声データ、及び番組属性情報を分離させ、得られた通常放送の番組属性情報を記憶メモリ１０８に記憶する。
【００２２】
Ｓ２０２で、ＣＰＵ１０７は記憶メモリ１０８に記憶されている、通常放送の番組属性情報が有するマルチアングル放送の有無の情報を参照し、通常放送で受信しているチャンネルがマルチアングル放送で映像信号を配信しているか否かを判断する。マルチアングル放送で映像信号を配信している場合、ＣＰＵ１０７は処理をＳ２０３に移し、マルチアングル放送で映像信号を配信していない場合、ＣＰＵ１０７は処理をＳ２０１に戻す。
【００２３】
Ｓ２０３で、ＣＰＵ１０７は記憶メモリ１０８に記憶されている、通常放送の番組属性情報が有するマルチアングル放送の配信サーバを特定する情報に従い、ネットワーク受信部１０５に所望のチャンネルのマルチアングル放送の映像信号を受信させる。具体的には、ＣＰＵ１０７はネットワーク受信部１０５にネットワーク３００を介してマルチアングル放送を配信するサーバ４００に接続させ、サーバ４００よりマルチアングル放送の映像信号を受信させ、メインデコーダ１０２に出力させる。
【００２４】
Ｓ２０４で、ＣＰＵ１０７はメインデコーダ１０２に入力されたマルチアングル放送の映像信号に対しデコード処理を適用させ、映像データ、音声データ、及び番組属性情報を分離させ、マルチアングル放送の番組属性情報を記憶メモリ１０８に記憶する。
【００２５】
なお、本番組属性情報更新処理はセットトップボックス１００の電源がＯＮの状態の間繰り返し実行されるものとし、記憶メモリ１０８に記憶されている、通常放送及びマルチアングル放送の番組属性情報は常に最新の情報に更新される。
【００２６】
（カメラ情報比較処理）
次に、本実施形態のセットトップボックスのカメラ情報比較処理について、図３のフローチャートを用いて説明する。なお、本カメラ情報比較処理は通常放送で受信しているチャンネルが、マルチアングル放送に対応している場合に行われる処理である。
【００２７】
Ｓ３０１で、ＣＰＵ１０７は記憶メモリ１０８に記憶されている、通常放送の番組属性情報が有する放送シーンカメラ情報を、カメラ情報解析部１０９に出力する。また、ＣＰＵ１０７は記憶メモリ１０８に記憶されている、マルチアングル放送の番組属性情報が有するマルチアングル放送カメラ情報を、カメラ情報解析部１０９に出力する（Ｓ３０２）。
【００２８】
Ｓ３０３で、ＣＰＵ１０７はカメラ情報解析部１０９に、放送シーンカメラ情報とマルチアングル放送カメラ情報とを比較させ、同一のテレビカメラを特定するカメラ情報が存在するかを判断する。放送シーンカメラ情報とマルチアングル放送カメラ情報とに、同一のカメラ情報が存在した場合、ＣＰＵ１０７は処理をＳ３０４に移し、記憶メモリ１０８にカメラ情報が一致したことを表す情報を記憶する。放送シーンカメラ情報とマルチアングル放送カメラ情報とに、同一のカメラ情報が存在しない場合は、ＣＰＵ１０７は処理をＳ３０５に移し、記憶メモリ１０８にカメラ情報が不一致であることを表す情報を記憶する。
【００２９】
（映像切り替え処理）
さらに、本実施形態のセットトップボックスの映像切り替え処理について、図４のフローチャートを用いて説明する。なお、本映像切り替え処理も、前述のカメラ情報比較処理と同様に、通常放送で受信しているチャンネルが、マルチアングル放送に対応している場合に行われる処理である。
【００３０】
Ｓ４０１で、ＣＰＵ１０７は上述したカメラ情報比較処理を行う。そしてＳ４０２で、ＣＰＵ１０７は記憶メモリ１０８に記憶されている通常放送とマルチアングル放送のカメラ情報（通常シーンカメラ情報とマルチアングル放送カメラ情報）を参照し、通常放送とマルチアングル放送のカメラ情報が一致したか否かを判断する。即ち、マルチアングル放送カメラ情報に含まれる複数のテレビカメラを特定する情報のうち、通常シーンカメラ情報と同一のものが存在するかを判断する。通常放送とマルチアングル放送のカメラ情報が一致している場合、ＣＰＵ１０７は処理をＳ４０３に移す。
【００３１】
Ｓ４０３で、ＣＰＵ１０７は画像合成部１１０に通常放送の映像データと、現在通常放送で受信しているフレームと同一のカメラアングルを、マルチアングル放送で視聴するカメラアングルとして登録が可能であることをユーザに通知する表示とを合成させる。具体的にはＣＰＵ１０７は、記憶メモリ１０８に記憶されている、現在通常放送で受信しているフレームのカメラアングルを視聴カメラアングルとして登録可能であることを通知するためのＧＵＩを画像合成部１１０に出力する。そして、ＣＰＵ１０７は画像合成部１１０に通常放送の映像データとＧＵＩとを合成させ、得られた合成映像データを映像出力部１０４に出力する。なお、本実施形態において、現在通常放送で受信しているフレームのカメラアングルを視聴カメラアングルとして登録可能であるとは、通常放送で次にシーンが切り替わった際に、以下のように表示を切り替え可能であることを意味する。具体的には、放送シーンカメラ情報が変更されたとき、マルチ画面表示として通常放送の映像データと共に、マルチアングル放送で受信可能な現在のカメラアングルの映像データを表示する。
【００３２】
ここで、視聴カメラアングルとして登録可能であることを通知するためのＧＵＩの表示例を図８（ａ）に示す。画面８００は、表示モニタ６００に出力される映像データのフレームの全体像であり、例えば視聴カメラアングルとして登録可能であることを通知するためのＧＵＩ８０１は、画面８００の右上隅等に表示する。これにより、視聴しているユーザに現在通常放送で受信しているフレームのカメラアングルがマルチアングル放送においても配信されており、視聴カメラアングルとして登録可能であることを通知できる。
【００３３】
Ｓ４０４で、ＣＰＵ１０７は、ユーザによってリモートコントローラ５００から、現在通常放送で受信している映像データのフレームのカメラアングルを、視聴カメラアングルとして登録する入力が赤外線受光部１０６になされたかを判断する。視聴カメラアングルとして登録する入力がなされなかった場合、ＣＰＵ１０７は処理をＳ４０１に戻し、新しく現在受信している映像信号に対し、カメラ情報比較処理を適用する。また、Ｓ４０４で視聴カメラアングルとして登録する入力がなされた場合、ＣＰＵ１０７は処理をＳ４０５に移す。
【００３４】
なお、Ｓ４０２で通常シーンカメラ情報とマルチアングル放送カメラ情報とが異なった場合は、ＣＰＵ１０７は処理をＳ４０９に移す。Ｓ４０９で、ＣＰＵ１０７は画像合成部１１０に通常放送の映像データと、視聴アングルとして登録可能であることを通知するためのＧＵＩとを合成させている場合は処理をＳ４１０に移し、ＧＵＩの表示を中止させてから処理をＳ４０１に戻す。
【００３５】
Ｓ４０５で、ＣＰＵ１０７は現在通常放送で受信しているフレームのカメラアングル、即ち放送シーンカメラ情報を、記憶メモリ１０８に、表示するマルチアングル放送のカメラアングルとして記憶する。そして、ＣＰＵ１０７は現在通常放送で受信しているフレームと同一のカメラアングルを、マルチアングル放送で視聴するカメラアングルとして登録したことをユーザに通知する表示を表示モニタ６００に出力する（Ｓ４０６）。具体的には、ＣＰＵ１０７は記憶メモリ１０８に記憶されている、マルチアングル放送で視聴するカメラアングルを登録したことを通知するＧＵＩを画像合成部１１０に出力する。ＣＰＵ１０７は、画像合成部１１０に通常放送の映像データと、マルチアングル放送で視聴するカメラアングルを登録したことを通知するＧＵＩとを合成し、映像出力部１０４に出力する。
【００３６】
図８（ｂ）は、マルチアングル放送で視聴するカメラアングルを登録したことを通知するＧＵＩ表示の例である。登録したことを通知するＧＵＩ８０２は、ユーザに通知の確認入力を促す表示を行い、確認入力を受けて表示を終了してもよいし、所定の時間表示させた後、表示を終了させてもよい。また、視聴カメラアングルとして登録可能であることを通知するＧＵＩ８０１は、例えば登録したことを通知するＧＵＩ８０２と同時に表示を終了しても構わない。
【００３７】
Ｓ４０７で、ＣＰＵ１０７は通常放送で順次受信する番組属性情報が有する放送シーンカメラ情報と、Ｓ４０５で記憶メモリ１０８に記憶した、表示するマルチアングル放送のカメラアングルの情報とを比較し、同一であるかを判断する。ＣＰＵ１０７は、放送シーンカメラ情報と、記憶メモリ１０８に記憶されている、表示するマルチアングル放送のカメラアングルの情報とが異なるまで、Ｓ４０７の処理を繰り返す。即ち、通常放送で受信している映像データにおいて、カメラアングルが変化するまで処理をＳ４０７で待機させる。
【００３８】
放送シーンカメラ情報と、記憶メモリ１０８に記憶されている、表示するマルチアングル放送のカメラアングルの情報とが異なった際、ＣＰＵ１０７は処理をＳ４０８に移し、映像出力部１０４から出力する映像を切り替える。即ち、ＣＰＵ１０７は通常放送の映像データと、マルチアングル放送の映像データのうち、記憶メモリ１０８に記憶されている、表示するマルチアングル放送のカメラアングルの映像データ（アングル映像）とを、マルチ画面表示するように出力を切り替える。具体的には、ＣＰＵ１０７は画像合成部１１０に、通常放送の映像データと、アングル映像データとを、例えば表示モニタ６００又は、記憶メモリ１０８に記憶されている表示形態の情報に従い、合成させる。そして、ＣＰＵ１０７は得られた合成映像データを映像出力部１０４に伝送し、表示モニタ６００に出力させる。
【００３９】
図８（ｃ）は、通常放送の映像データと、アングル映像データとをマルチ画面表示させた際の表示例であり、画面８００中にアングル映像８０３が表示されている。表示例では、通常放送の映像データとアングル映像データとを、ピクチャインピクチャ表示の表示形態で表示させているが、本発明の実施はこれに限らず、様々なマルチ画面表示の表示形態において適用可能である。
【００４０】
なお、Ｓ４０８において映像データの表示をマルチ画面表示に切り替えるものとして説明したが、Ｓ４０８のステップに至るまでの間に、マルチアングル放送にて、表示するカメラアングルの映像信号の配信がなくなった場合は、次のように処理すればよい。例えば、ＣＰＵ１０７はマルチアングル放送にて、表示するカメラアングルの映像信号の配信がなくなった時点で処理を強制的にＳ４０１に移すことにより、対応可能である。
【００４１】
また、詳細な説明は省略するが、マルチ画面表示に切り替えた際は、本映像切り替え処理を行わず、例えばリモートコントローラ５００からの入力により再度単一画面表示に表示を切り替えた際に、本映像切り替え処理を行えばよい。また、マルチ画面表示中に上述のようにマルチアングル放送にて、表示するカメラアングルの映像信号の配信がなくなった場合は、強制的に単一画面表示に切り替えればよい。
【００４２】
以上説明したように、本実施形態の映像受信装置は、放送信号で受信した映像がマルチアングル放送に対応している際に、ネットワークを介してマルチアングル放送の映像信号を受信可能である。映像受信装置は、放送信号で受信した映像（第１の映像）のフレームを撮影した撮影装置を特定する情報を放送信号から取得する。さらに、映像受信装置は受信可能なマルチアングル放送で配信されている複数のアングル映像（第２の映像）それぞれについて、アングル映像を撮影した撮影装置を特定する情報を取得し、放送信号で受信した映像を撮影した撮影装置を特定する情報と比較する。比較した撮影装置を特定する情報の中に同一のものがあった場合、映像受信装置は放送信号で受信した映像を撮影した撮影装置の映像がアングル映像にも存在することを通知する。
【００４３】
また、映像受信装置はユーザによりアングル映像を表示するアングル映像表示要求が入力されると、放送信号で受信した映像を撮影した撮影装置を特定する情報を記憶する。そして、放送信号で受信した映像を撮影した撮影装置の情報が、記憶した撮影装置の情報と異なった際に、放送信号で受信した映像と、記憶した撮影装置で撮影したアングル映像とを合成して、表示装置に出力する。
【００４４】
これにより、ユーザは放送信号で受信した映像と同じアングルの映像がマルチアングル放送で受信可能な場合に、受信した映像においてカメラアングルを確認した上で、所望のカメラアングルのアングル映像を表示させることが可能である。
【００４５】
（変形例）
実施形態１では、マルチアングル放送の映像信号がＩＰ放送で配信される場合について説明したが、本変形例ではデジタル放送において、通常放送とマルチアングル放送が受信可能である場合の実施形態について説明する。また、実施形態１では、通常放送の映像データとマルチアングル放送のアングル映像データとを、マルチ画面表示する場合について説明したが、本変形例では単一画面表示にて通常放送の映像データからアングル映像データに切り替える。
【００４６】
本発明の変形例に係るセットトップボックスの機能構成は実施形態１と略同一であるが、本変形例ではデジタル放送、即ち放送信号２００で通常放送とマルチアングル放送が受信可能であるため、ネットワーク受信部１０５を有さない。以下、図１の機能構成において実施形態１と異なる処理を行うブロックについて説明する。
【００４７】
チューナ１０１は、放送信号２００を受信し、例えば記憶メモリ１０８に記憶されている受信チャンネル設定の情報に従い、放送信号２００から所望のチャンネルの信号を分離する。本変形例において、通常放送で受信しているチャンネルが、マルチアングル放送に対応している場合、通常単一の放送局から配信される信号は１種類であるため、分離した信号には通常放送とマルチアングル放送の映像信号と、それぞれの番組属性情報とが含まる。
【００４８】
メインデコーダ１０２は、チューナ１０１が出力した映像信号に対しデコード処理を適用する。そして、メインデコーダ１０２は、通常放送で受信しているチャンネルが、マルチアングル放送に対応している場合、通常放送とマルチアングル放送の、映像データ、音声データ、及び番組属性情報をそれぞれ取得する。
【００４９】
（映像切り替え処理）
以上のような構成をもつ本変形例のセットトップボックスの、映像切り替え処理について、図５のフローチャートを用いて説明する。本変形例においても、通常放送で受信しているチャンネルが、マルチアングル放送に対応している場合に本映像切り替え処理が行われるものとする。なお、本映像切り替え処理において、実施形態１の映像切り替え処理と同一の処理を行うステップについては、同一の参照番号を付して説明を省略し、本変形例の映像切り替え処理の特徴的な処理を行うステップの説明を行うものとする。また、通常放送とマルチアングル放送の情報は同時に放送信号２００から取得可能であるため、番組属性情報更新処理を行う必要はなく、本変形例では映像切り替え処理及びカメラ情報比較処理が行われればよい。
【００５０】
Ｓ４０２で、マルチアングル放送カメラ情報に含まれる複数のテレビカメラを特定する情報のうち、通常シーンカメラ情報と同一のものが存在すると判断された場合、ＣＰＵ１０７は処理をＳ５０１に移す。Ｓ５０１で、ＣＰＵ１０７は映像出力部１０４が表示モニタ６００に出力している映像データが、通常放送の映像データであるか、マルチアングル放送の映像データであるかを判断する。表示モニタ６００に出力している映像データの情報は、例えば記憶メモリ１０８に視聴状態の情報として記憶しておけばよく、ＣＰＵ１０７は視聴状態の情報を参照して判断する。表示モニタ６００に出力している映像データが、通常放送の映像データである場合、ＣＰＵ１０７は処理をＳ５０２に移し、マルチアングル放送の映像データである場合は、ＣＰＵ１０７は処理をＳ５０３に移す。
【００５１】
Ｓ５０２で、ＣＰＵ１０７は視聴しているマルチアングル放送の映像データと、同一のカメラアングルの映像データが通常放送でも視聴可能であることを通知するＧＵＩを、表示モニタ６００に出力する。具体的には、ＣＰＵ１０７は記憶メモリ１０８に記憶されている、現在視聴しているマルチアングル放送の映像データと、同一のカメラアングルの映像データが通常放送でも視聴可能であることを通知するＧＵＩを、画像合成部１１０に入力する。そして、ＣＰＵ１０７は、画像合成部１１０にマルチアングル放送の映像データと、入力されたＧＵＩとを合成させ、得られた合成映像データを映像出力部１０４に伝送し、表示モニタ６００に出力させる。図８（ｄ）は、現在視聴しているマルチアングル放送の映像データと、同一のカメラアングルの映像データが通常放送でも視聴可能であることを通知するＧＵＩの表示例である。図８（ｄ）のように、例えば画面８００の右上に、ＧＵＩ８０４を表示することで、ユーザに通知可能である。
【００５２】
Ｓ５０３で、ＣＰＵ１０７は視聴している通常放送の映像データから、マルチアングル放送で配信されている、現在通常放送で受信しているフレームと同一のカメラアングルの映像データに切り替え可能であることを通知するＧＵＩを、表示モニタ６００に出力する。具体的には、ＣＰＵ１０７は記憶メモリ１０８に記憶されている、現在通常放送で受信しているフレームと同一のカメラアングルの、マルチアングル放送の映像に切り替え可能であることを表すＧＵＩのデータを画像合成部１１０に入力する。そして、ＣＰＵ１０７は、画像合成部１１０に通常放送の映像データと、入力されたＧＵＩとを合成させ、得られた合成映像データを映像出力部１０４に伝送し、表示モニタ６００に出力させる。
【００５３】
Ｓ５０４で、ＣＰＵ１０７は、ユーザによってリモートコントローラ５００から、現在視聴している映像データから、同一のカメラアングルの映像データに切り替える入力が赤外線受光部１０６になされたかを判断する。つまり、ＣＰＵ１０７は、記憶メモリ１０８に記憶されている視聴状態の情報が通常放送であった場合、通常放送で受信しているフレームと同一のカメラアングルの、マルチアングル放送の映像に切り替えるか否かを判断する。また、ＣＰＵ１０７は、記憶メモリ１０８に記憶されている視聴状態の情報がマルチアングル放送であった場合、通常放送の映像データに切り替えるか否かを判断する。現在視聴している映像データと同一のカメラアングルの映像データに切り替える入力がなされなかった場合、ＣＰＵ１０７は処理をＳ４０１に戻し、新しく現在受信している映像信号に対し、カメラ情報比較処理を適用する。また、Ｓ５０４で現在表示している映像データと同一のカメラアングルの映像データに切り替える入力がなされた場合、ＣＰＵ１０７は処理をＳ５０５に移す。
【００５４】
Ｓ５０５で、ＣＰＵ１０７はメインデコーダ１０２に、デコード処理を適用した、現在視聴している映像データと同一のカメラアングルの映像データを映像出力部１０４に伝送させ、表示モニタ６００に出力する。具体的には、ＣＰＵ１０７は記憶メモリ１０８に記憶されている視聴状態の情報が通常放送であった場合、通常放送で受信しているフレームと同一のカメラアングルの、マルチアングル放送の映像データを映像出力部１０４に伝送する。また、ＣＰＵ１０７は記憶メモリ１０８に記憶されている視聴状態の情報がマルチアングル放送であった場合、通常放送の映像データを映像出力部１０４に伝送する。
【００５５】
本変形例では、実施形態１のようなマルチ画面表示と異なるため、本映像切り替え処理はセットトップボックス１００の電源がＯＮの状態にある間、繰り返し実行される。また、本映像切り替え処理でマルチアングル放送のアングル映像データに出力を切り替えた場合、マルチアングル放送にて視聴していたアングル映像データの配信がなくなったときは、通常放送の映像データに出力を戻せばよい。
【００５６】
以上説明したように、本変形例の映像受信装置は、放送信号で受信した映像がマルチアングル放送に対応している場合に、放送信号で通常放送の映像信号（第１の映像）とマルチアングル放送の映像信号（第２の映像）とを受信可能である。映像受信装置は、放送信号で受信した、通常放送の映像のフレームを撮影した撮影装置を特定する情報を放送信号から取得する。さらに、映像受信装置は受信可能なマルチアングル放送で配信されている複数のアングル映像それぞれについて、アングル映像を撮影した撮影装置を特定する情報を取得し、通常放送の映像のフレームを撮影した撮影装置を特定する情報と比較する。比較した撮影装置を特定する情報の中に同一のものがあった場合、映像受信装置は通常放送の映像のフレームを撮影した撮影装置の映像がアングル映像にも存在することを通知する。または、比較した撮影装置を特定する情報の中に同一のものがあった場合、映像受信装置はアングル映像を撮影した撮影装置と同一のカメラアングルの映像を、通常放送でも視聴可能であることを通知する。
【００５７】
また、映像受信装置はユーザにより表示する映像を切り替える要求が入力されると、現在視聴している映像から、同一のカメラアングルの映像に切り替えて表示装置に出力する。具体的には、通常放送の映像を現在視聴している場合は、同一のカメラアングルのアングル映像に切り替え、マルチアングル放送の映像を現在視聴している場合は、通常放送の映像に切り替えて表示装置に出力する。
【００５８】
これにより、ユーザは通常放送の映像と同じアングルの映像がマルチアングル放送で受信可能な場合に、受信した映像においてカメラアングルを確認した上で、所望のカメラアングルのアングル映像に切り替えて表示させることが可能である。また、ユーザはマルチアングル放送の映像と同じアングルの映像が通常放送においても視聴可能であるかを確認した上で、通常放送の映像に切り替えて表示させることが可能である。
【００５９】
（実施形態２）
上述した実施形態１では、通常放送の映像データと、同一のカメラアングルの映像データがマルチアングル放送で受信可能な場合に、表示するマルチアングル放送のカメラアングルとして登録させることが可能であった。即ち通常放送の映像データのカメラアングルが、マルチアングル放送で受信可能な映像データのカメラアングルと同一である期間だけ、表示するマルチアングル放送のカメラアングルとして登録させることが可能であった。本実施形態２では、さらに、ユーザがＧＵＩ表示に気づいてから、表示するマルチアングル放送のカメラアングルとして登録するまでの間に、通常放送の映像データのカメラアングルが切り替わった場合にも対応可能な実施形態について説明する。
【００６０】
（カメラ情報リスト更新処理）
上述の実施形態１の構成をもつ本実施形態のセットトップボックスの、カメラ情報リスト更新処理について、図６のフローチャートを用いて説明する。なお、本カメラ情報リスト更新処理は、前述のカメラ情報比較処理において、マルチアングル放送カメラ情報に放送シーンカメラ情報と同一のテレビカメラを特定する情報があると判断された場合に実行される処理である。
【００６１】
また、カメラ情報リストとは、マルチアングル放送カメラ情報に放送シーンカメラ情報と同一のテレビカメラを特定する情報があった場合に、同一のテレビカメラを特定する情報があった時間と、そのテレビカメラを特定する情報とを記憶するリストである。カメラ情報リストは、例えば記憶メモリ１０８に記憶されており、最大２つのテレビカメラを特定する情報を管理し、ユーザは最大２つの候補のカメラアングルをカメラ情報リストから選択することが可能である。図９は、カメラ情報リストの一例であり、各項目には受信している番組名の情報、マルチアングル放送カメラ情報に放送シーンカメラ情報と同一のテレビカメラを特定する情報が検出された時刻の情報、及びテレビカメラを特定するカメラＩＤの情報が記憶される。また、カメラ情報リストの各項目は、各項目の情報を強制的に削除する削除カウントの情報を有し、本カメラ情報リスト更新処理に依らず削除カウントが０になった時点で、カメラ情報リストから削除される。
【００６２】
カメラ情報比較処理を行い、記憶メモリ１０８にカメラ情報が一致したことを表す情報が記憶されている場合、Ｓ６０１で、ＣＰＵ１０７は放送シーンカメラ情報が記憶メモリ１０８に記憶されているカメラ情報リストに管理されているか否かを判断する。具体的には、ＣＰＵ１０７は記憶メモリ１０８に記憶されているカメラ情報リストの中に、通常放送で受信している映像のフレームを撮影したテレビカメラを特定する情報（カメラＩＤ）が含まれているか否かを判断する。カメラ情報リストの中に放送シーンカメラ情報が管理されている場合、ＣＰＵ１０７は処理をＳ６０２に移す。
【００６３】
Ｓ６０２で、ＣＰＵ１０７は、記憶メモリ１０８に記憶されているカメラ情報リスト内の、放送シーンカメラ情報を有する項目が有する、通常放送とマルチアングル放送で同一のテレビカメラを特定する情報が検出された時刻の情報を更新する。なお、時刻の情報は例えば、セットトップボックス１００が有する不図示の内蔵タイマや、放送信号２００等からＣＰＵ１０７が取得すればよい。ＣＰＵ１０７は、カメラ情報リスト内の放送シーンカメラ情報を有する項目が有する、通常放送とマルチアングル放送で同一のテレビカメラを特定する情報が検出された時刻の情報を更新が完了すると、カメラ情報リスト更新処理を終了する。
【００６４】
またＳ６０１で、カメラ情報リストの中に放送シーンカメラ情報が管理されていない場合、ＣＰＵ１０７は処理をＳ６０３に移す。Ｓ６０３で、ＣＰＵ１０７は記憶メモリ１０８に記憶されているカメラ情報リストに、現在の放送シーンカメラ情報を有する項目を、通常放送とマルチアングル放送で同一のテレビカメラを特定する情報が検出された時刻の情報と、番組名の情報と共に追加する。さらに、ＣＰＵ１０７は、例えば記憶メモリ１０８に記憶されている削除カウントの基準値の情報を、カメラ情報リストに新たに追加した項目が有する削除カウントの情報に追加する。削除カウントの基準値の情報は、例えば３０秒、１分等の時間の情報であり、セットトップボックス１００の工場出荷時に予め設定される値であってもよいし、ユーザが設定可能な値であってもよい。また、カメラ情報リストに現在の放送シーンカメラ情報を有する項目を追加する際、既にカメラ情報リストに２つの項目が存在する場合は、ＣＰＵ１０７は存在する項目のうち、追加した時刻が古い項目を強制的に削除して、新たな項目を追加すればよい。
【００６５】
Ｓ６０４で、ＣＰＵ１０７はカメラ情報リストの中に、Ｓ６０３で追加した現在の放送シーンカメラ情報を有する項目とは別の項目が存在するかを判断する。具体的にはＣＰＵ１０７は、カメラ情報リストの中に現在の放送シーンカメラ情報とは別のテレビカメラを特定する情報を有する項目が存在するかを判断する。即ち、ＣＰＵ１０７は、現在の時刻より前にカメラ情報リストに追加した、通常放送とマルチアングル放送で同一のテレビカメラを特定する情報を有する項目が存在するかを判断する。カメラ情報リストの中に現在の放送シーンカメラ情報を有する項目とは別の項目が存在する場合、ＣＰＵ１０７は処理をＳ６０５に移す。また、カメラ情報リストの中に現在の放送シーンカメラ情報を有する項目とは別の項目が存在しない場合、ＣＰＵ１０７はカメラ情報リスト更新処理を終了する。
【００６６】
Ｓ６０５で、ＣＰＵ１０７はカメラ情報リストの中の、現在の放送シーンカメラ情報を有する項目とは別の項目が、削除カウントを開始しているかを判断する。具体的にはＣＰＵ１０７はカメラ情報リストの中の、現在の放送シーンカメラ情報を有する項目とは別の項目が有する削除カウントの情報が、例えば記憶メモリ１０８に記憶されている削除カウントの基準値より小さい場合、削除カウントが開始していると判断する。カメラ情報リストの中の、現在の放送シーンカメラ情報を有する項目とは別の項目が、削除カウントを開始している場合、ＣＰＵ１０７はカメラ情報リスト更新処理を終了する。また、カメラ情報リストの中の、現在の放送シーンカメラ情報を有する項目とは別の項目が、削除カウントを開始していない場合、Ｓ６０６でＣＰＵ１０７は該当の項目の削除カウントを開始させ、カメラ情報リスト更新処理を終了する。なお、削除カウントは上述したように、本カメラ情報リスト更新処理に依らず管理される時間情報であり、時間経過と共に減少する削除カウントが、０になった時点でＣＰＵ１０７はカメラ情報リストから削除すればよい。
【００６７】
（映像切り替え処理）
次に、本実施形態２のセットトップボックスの、映像切り替え処理について、図７のフローチャートを用いて説明する。本実施形態においても、通常放送で受信しているチャンネルが、マルチアングル放送に対応している場合に、本映像切り替え処理が行われるものとする。なお、本映像切り替え処理において、実施形態１の映像切り替え処理と同一の処理を行うステップについては、同一の参照番号を付して説明を省略し、本実施形態２の映像切り替え処理の特徴的な処理を行うステップの説明を行うものとする。
【００６８】
Ｓ４０２で通常シーンカメラ情報とマルチアングル放送カメラ情報とが異なった場合は、ＣＰＵ１０７は処理をＳ７０１に移す。Ｓ７０１で、ＣＰＵ１０７は記憶メモリ１０８に記憶されているカメラ情報リストに、現在通常放送で受信している番組と同一の番組名を有する項目が存在するかを判断する。カメラ情報リストに、現在通常放送で受信している番組と同一の番組名を有する項目が存在しない場合、ＣＰＵ１０７は処理をＳ４０９に移し、存在する場合は処理をＳ７０２に移す。
【００６９】
Ｓ７０２で、ＣＰＵ１０７は上述したカメラ情報リスト更新処理を行い、処理をＳ４０３に移す。Ｓ４０３で、ＣＰＵ１０７はカメラ情報リストで管理しているテレビカメラのカメラアングルが、マルチアングル放送で視聴するカメラアングルとして登録が可能であることをユーザに通知する表示を、映像出力部１０４から表示モニタ６００に出力する。具体的には、ＣＰＵ１０７は記憶メモリ１０８に記憶されている、カメラ情報リストで管理しているテレビカメラのカメラアングルを視聴カメラアングルとして登録可能であることを通知するためのＧＵＩを画像合成部１１０に出力する。そして、ＣＰＵ１０７は画像合成部１１０に通常放送の映像データとＧＵＩとを合成させ、得られた合成映像データを映像出力部１０４に出力する。なお、本ステップの処理は、カメラ情報リストで管理しているテレビカメラが撮影したアングル映像が、マルチアングル放送で受信可能な場合に行われるものである。カメラ情報リストには管理されているが、既にカメラ情報リストで管理しているテレビカメラが撮影したアングル映像が、マルチアングル放送で配信されていない場合は、該当のテレビカメラを特定する情報を有する項目を、カメラ情報リストから強制的に削除する。またこれによりカメラ情報リストが管理するテレビカメラを特定する情報がなくなった場合、ＣＰＵ１０７は処理をＳ７０１に戻せばよい。
【００７０】
Ｓ４０４で、ＣＰＵ１０７は、ユーザによってリモートコントローラ５００から、カメラ情報リストで管理しているテレビカメラのカメラアングルを、マルチアングル放送で視聴カメラアングルとして登録する入力が赤外線受光部１０６になされたかを判断する。視聴カメラアングルとして登録する入力がなされなかった場合、ＣＰＵ１０７は処理をＳ７０１に戻し、視聴カメラアングルとして登録する入力がなされた場合は、ＣＰＵ１０７は処理をＳ７０３に移す。
【００７１】
Ｓ７０３で、ＣＰＵ１０７は記憶メモリ１０８に記憶されているカメラ情報リストが管理する、テレビカメラを特定する情報を有する項目が、いくつあるかを判断する。即ち、ＣＰＵ１０７は、カメラ情報リストで管理している、視聴カメラアングルとして登録可能なテレビカメラのカメラアングルが、１つ、または２つのいずれであるかを判断する。カメラ情報リストが管理するテレビカメラを特定する情報を有する項目が１つである場合、ＣＰＵ１０７は処理をＳ７０４に移す。
【００７２】
Ｓ７０４で、ＣＰＵ１０７はカメラ情報リストが管理している１つのテレビカメラを特定する情報を、記憶メモリ１０８に、表示するマルチアングル放送のカメラアングルとして記憶する。そして、ＣＰＵ１０７はカメラ情報リストが管理するテレビカメラのカメラアングルを、マルチアングル放送で視聴するカメラアングルとして登録したことをユーザに通知する表示を表示モニタ６００に出力する（Ｓ４０６）。
【００７３】
Ｓ７０３で、カメラ情報リストが管理するテレビカメラを特定する情報を有する項目が２つである場合、ＣＰＵ１０７は処理をＳ７０５に移す。Ｓ７０５で、ＣＰＵ１０７はカメラ情報リストが管理している２つのテレビカメラのカメラアングルのどちらを、マルチアングル放送で視聴するカメラアングルとして登録するかをユーザに選択させる表示を、映像出力部１０４から表示モニタ６００に出力する。具体的には、ＣＰＵ１０７は記憶メモリ１０８に記憶されている、カメラ情報リストで管理している２つのテレビカメラのカメラアングルのどちらを視聴カメラアングルとして登録するかを選択させるためのＧＵＩを画像合成部１１０に出力する。そして、ＣＰＵ１０７は画像合成部１１０に通常放送の映像データとＧＵＩとを合成させ、得られた合成映像データを映像出力部１０４に出力する。
【００７４】
図８（ｅ）は、カメラ情報リストで、２つのテレビカメラを特定する情報を有する項目を管理する場合に、ユーザに視聴するカメラアングルを選択させるためのＧＵＩの表示例である。画面８００の中央に表示されたＧＵＩ８０５には、カメラ情報リストで管理されている２つのテレビカメラが選択肢として表示されている。カメラ情報リストで２つのテレビカメラを特定する情報を有する場合、２つのテレビカメラの情報は以下のような場合が考えられる。つまり、現在の放送シーンカメラ情報のテレビカメラと、現在通常放送で受信している映像のカメラアングルに、切り替わる前のカメラアングルを撮影したテレビカメラがカメラ情報リストで管理されると考えられる。このため、ＧＵＩ８０５に表示されるテレビカメラの選択肢は、例えば「現在視聴しているカメラアングル」と「直前まで視聴していたカメラアングル」としてもよい。また、視聴している番組がサッカーや野球等のスポーツ中継である場合は、「１塁側カメラ」「３塁側カメラ」等のテレビカメラの配置されている位置を選択肢として表示させてもよい。
【００７５】
Ｓ７０６で、ＣＰＵ１０７は、ユーザによってリモートコントローラ５００から、Ｓ７０５で表示したカメラアングルを選択させるＧＵＩの選択肢のどちらかを選択する入力が赤外線受光部１０６になされたかを判断する。なお、ＣＰＵ１０７は入力がなされるまでＳ７０６の処理を繰り返し行うものとするが、予め定めた時間入力がなされなかった場合は、強制的にカメラアングルを選択して処理をＳ７０７に進めるか、ＧＵＩ表示を中止し、処理をＳ７０１に戻せばよい。
【００７６】
Ｓ７０７で、ＣＰＵ１０７は、Ｓ７０６で選択されたカメラ情報リストが管理する一方のテレビカメラを特定する情報を、記憶メモリ１０８に、表示するマルチアングル放送のカメラアングルとして記憶する。そして、ＣＰＵ１０７はカメラ情報リストが管理するテレビカメラのカメラアングルの１つを、マルチアングル放送で視聴するカメラアングルとして登録したことをユーザに通知する表示を表示モニタ６００に出力する（Ｓ７０８）。図８（ｆ）は、マルチアングル放送で視聴するカメラアングルを登録したことを通知するＧＵＩ表示の例である。登録したことを通知するＧＵＩ８０６は、ユーザに通知の確認入力を促す表示を行い、確認入力を受けて表示を終了してもよいし、所定の時間表示させた後、表示を終了させてもよい。また、視聴カメラアングルとして登録可能であることを通知するＧＵＩ８０１は、例えば登録したことを通知するＧＵＩ８０６と同時に表示を終了しても構わない。
【００７７】
以上説明したように、本実施形態の映像受信装置は、放送信号で受信した映像（第１の映像）がマルチアングル放送に対応している際に、ネットワークを介してマルチアングル放送の映像信号（第２の映像）を受信可能である。映像受信装置は、放送信号で受信した映像のフレームを撮影した撮影装置を特定する情報を放送信号から取得する。さらに、映像受信装置は受信可能なマルチアングル放送で配信されている複数のアングル映像それぞれについて、アングル映像を撮影した撮影装置を特定する情報を取得し、放送信号で受信した映像を撮影した撮影装置を特定する情報と比較する。比較した撮影装置を特定する情報の中に同一のものがあった場合、映像受信装置は放送信号で受信した映像のフレームを撮影した撮影装置を特定する情報を、最大２つまで撮影装置を特定する情報をリストで管理する。そして、映像受信装置は放送信号で受信した映像を撮影した撮影装置の映像がアングル映像にも存在することを通知する。
【００７８】
また、映像受信装置はユーザによりアングル映像を表示するアングル映像表示要求が入力されると、リストで管理している撮影装置を特定する情報の数によって以下のように処理する。リストで管理している撮影装置を特定する情報が１つである場合は、リストで管理している撮影装置を特定する情報を記憶する。また、リストで管理している撮影装置を特定する情報が２つである場合は、リストで管理している撮影装置を特定する情報をユーザに選択させ、選択された一方の撮影装置を特定する情報を記憶する。そして、放送信号で受信した映像を撮影した撮影装置の情報が、記憶した撮影装置の情報と異なった際に、放送信号で受信した映像と、記憶した撮影装置で撮影したアングル映像とを合成して、表示装置に出力する。
【００７９】
これにより、ユーザは放送信号で受信した映像と同じアングルの映像がマルチアングル放送で受信可能な場合に、受信した映像においてカメラアングルを確認した上で、所望のカメラアングルのアングル映像を表示させることが可能である。また、ユーザが通知に気づいてから、アングル映像を表示するアングル映像表示要求が入力されるまでの間に、放送信号で受信した映像のフレームを撮影した撮影装置が切り替わった場合にも、所望のカメラアングルのアングル映像を表示させることが可能である。
【００８０】
なお、実施形態１及び変形例、及び実施形態２において、カメラ情報比較処理において、通常放送とマルチアングル放送の映像データにおいて同一のテレビカメラで撮影したものであるかを判断して、カメラ情報が一致しているとした。しかしながら、カメラ情報比較処理でカメラ情報が一致したとする条件は、同一のテレビカメラで撮影したものであるかの情報に限らず、例えばテレビカメラで撮影した被写体によって判断してもよい。具体的には、マルチアングル放送で配信されている映像の中に、通常放送で受信している映像のフレームに映っている主たる被写体を、同様に主たる被写体としている映像がある場合に、カメラ情報が一致しているとしてもよい。この場合、例えば通常放送及びマルチアングル放送の番組属性情報の中に主たる被写体の情報を含めて、映像信号が配信され、通常放送とマルチアングル放送のそれぞれの有する被写体の情報を比較することにより判断してもよい。また、通常放送及びマルチアングル放送で配信されている映像のフレームについて画像のパターンマッチング処理を行うことによって判断してもよい。
【図１】
0005406660.tif 000002
【図２】
0005406660.tif 000003
【図３】
0005406660.tif 000004
【図４】
0005406660.tif 000005
【図５】
0005406660.tif 000006
【図６】
0005406660.tif 000007
【図７】
0005406660.tif 000008
【図８】
0005406660.tif 000009
【図９】
0005406660.tif 000010